(57)【要約】【課題】ロープクリップを、ワイヤロープに対して簡単に且つ適切な位置に取り付けることができるロープクリップ取付用の補助工具を提供する。【解決手段】本補助工具は、ワイヤロープ１１をシンブル１２に押し付けるための押付部１及び押付部２と、一端部側に押付部１が設けられた操作部３と、一端部側に押付部２が設けられた操作部４とを備える。押付部１は、シンブル１２の一側に配置されたワイヤロープ１１を、所定の長さに渡ってシンブル１２に押し付けるための凹状の溝部を有する。押付部２は、シンブル１２の他側に配置されたワイヤロープ１１を、所定の長さに渡ってシンブル１２に押し付けるための凹状の溝部を有する。押付部１の溝部と押付部２の溝部とは、その長手に渡って対向するように配置される。【選択図】図１
2012187662.tif 000002
【特許請求の範囲】
【請求項１】
Ｕ字状のシンブルに沿って湾曲されたワイヤロープを、前記シンブルの近傍でロープクリップによって固定する際に使用される補助工具であって、
前記ロープクリップの取付時に、前記シンブルの外側に配置された前記ワイヤロープに両側から接触して、前記ワイヤロープを前記シンブルに押し付けるための第１押付部及び第２押付部と、
一端部側に前記第１押付部が設けられた第１操作部と、
一端部側に前記第２押付部が設けられるとともに、他端部側が前記第１操作部の他端部側に接近及び離隔されることにより、前記第２押付部を前記第１押付部に接近及び離隔させる第２操作部と、
を備え、
前記第１押付部は、前記シンブルの一側に配置された前記ワイヤロープを、所定の長さに渡って前記シンブルに押し付けるための凹状の第１溝部を有し、
前記第２押付部は、前記シンブルの他側に配置された前記ワイヤロープを、所定の長さに渡って前記シンブルに押し付けるための凹状の第２溝部を有し、
前記第１溝部と前記第２溝部とは、その長手に渡って対向するように配置されたロープクリップ取付用の補助工具。
【請求項２】
前記第１押付部は、
前記シンブルの一側に配置された前記ワイヤロープに対し、所定の長さに渡って一側から接触する第１接触部と、
前記シンブルの一側に配置された前記ワイヤロープに前記第１接触部が一側から接触した際に、前記ワイヤロープの両側に配置される第１ストッパー部と、
を備え、
前記第２押付部は、
前記シンブルの他側に配置された前記ワイヤロープに対し、所定の長さに渡って他側から接触する第２接触部と、
前記シンブルの他側に配置された前記ワイヤロープに前記第２接触部が他側から接触した際に、前記ワイヤロープの両側に配置される第２ストッパー部と、
を備え、
前記第１接触部と前記第２接触部とは、その長手に渡って対向するように配置された請求項１に記載のロープクリップ取付用の補助工具。
【請求項３】
前記第２操作部の他端部側が前記第１操作部の他端部側に所定距離まで接近すると、その接近状態を固定するロック機構部と、
前記ロック機構部によって固定された状態を解除し、前記第２操作部の他端部側を前記第１操作部の他端部側から離隔可能にするロック解除部と、
を更に備えた請求項１又は請求項２に記載のロープクリップ取付用の補助工具。
【請求項４】
前記第１操作部の他端部側と前記第２操作部の他端部側とを接近及び離隔させた時の前記第１押付部及び前記第２押付部の可動範囲を調節する調節部と、
を更に備えた請求項１から請求項３の何れかに記載のロープクリップ取付用の補助工具。
【発明の詳細な説明】
【技術分野】
【０００１】
この発明は、ワイヤロープにロープクリップを取り付ける際に使用される補助工具に関するものである。
【背景技術】
【０００２】
例えば、小荷物用の昇降機において主ロープ（ワイヤロープ）の交換を行う場合、主ロープの端部を固定するために、ロープクリップが使用される。なお、下記特許文献１には、ロープクリップの一例が開示されている。
【０００３】
図７はロープクリップの取付方法を説明するための図であり、上記主ロープを交換する際の状態を示している。
図７において、１５は主ロープ１６の端部を接続するための吊りボルトである。主ロープ１６の交換作業では、吊りボルト１５の環状部分にＵ字状のシンブル１２を取り付け、上記環状部分に新規主ロープ１６を通す。そして、主ロープ１６をシンブル１２に沿って折り返し、主ロープ１６の端部をロープクリップ１３（及び、ナット１４）で固定する。
【先行技術文献】
【特許文献】
【０００４】
【特許文献１】特開２００３−４９９０８号公報
【発明の概要】
【発明が解決しようとする課題】
【０００５】
ロープクリップ１３によって主ロープ１６を固定する場合、ロープクリップ１３をシンブル１２側（図７の矢印Ｂ側）の適切な位置に配置しなければならない。従来では、主ロープ１６の交換時、作業者は、主ロープ１６をシンブル１２に沿って屈曲させると、主ロープ１６が広がらないように片手で主ロープ１６の屈曲部分を絞り込み、その形状を保持したまま、もう片方の手でロープクリップ１３の取り付けを行っていた。このため、作業性が著しく悪く、主ロープ１６の交換に多大な時間と手間とを要するといった問題があった。また、主ロープ１６の径が大きくなると主ロープ１６を十分に絞り込むことができず、ロープクリップ１３を適切な位置で取り付けることができないこともあった。
【０００６】
なお、このような問題は、小荷物用の昇降機において主ロープの交換を行う場合だけでなく、ワイヤロープにロープクリップを取り付ける他の場合にも同様に発生し得る。
【０００７】
この発明は、上述のような課題を解決するためになされたもので、その目的は、ロープクリップを、ワイヤロープに対して簡単に且つ適切な位置に取り付けることができるロープクリップ取付用の補助工具を提供することである。
【課題を解決するための手段】
【０００８】
この発明に係るロープクリップ取付用の補助工具は、Ｕ字状のシンブルに沿って湾曲されたワイヤロープを、シンブルの近傍でロープクリップによって固定する際に使用される補助工具であって、ロープクリップの取付時に、シンブルの外側に配置されたワイヤロープに両側から接触して、ワイヤロープをシンブルに押し付けるための第１押付部及び第２押付部と、一端部側に第１押付部が設けられた第１操作部と、一端部側に第２押付部が設けられるとともに、他端部側が第１操作部の他端部側に接近及び離隔されることにより、第２押付部を第１押付部に接近及び離隔させる第２操作部と、を備え、第１押付部は、シンブルの一側に配置されたワイヤロープを、所定の長さに渡ってシンブルに押し付けるための凹状の第１溝部を有し、第２押付部は、シンブルの他側に配置されたワイヤロープを、所定の長さに渡ってシンブルに押し付けるための凹状の第２溝部を有し、第１溝部と第２溝部とは、その長手に渡って対向するように配置されたものである。
【発明の効果】
【０００９】
この発明に係るロープクリップ取付用の補助工具を使用することにより、ロープクリップを、ワイヤロープに対して簡単に且つ適切な位置に取り付けることができるようになる。
【図面の簡単な説明】
【００１０】
【図１】この発明の実施の形態１におけるロープクリップ取付用の補助工具を示す全体図である。
【図２】図１に示す補助工具の要部斜視図である。
【図３】図１に示す補助工具の要部拡大図である。
【図４】図１に示す補助工具の使用方法を説明するための図である。
【図５】図１に示す補助工具の使用方法を説明するための図である。
【図６】図１に示す補助工具の使用方法を説明するための図である。
【図７】ロープクリップの取付方法を説明するための図である。
【発明を実施するための形態】
【００１１】
この発明をより詳細に説明するため、添付の図面に従ってこれを説明する。なお、各図中、同一又は相当する部分には同一の符号を付しており、その重複説明は適宜に簡略化ないし省略する。
【００１２】
実施の形態１．
図１はこの発明の実施の形態１におけるロープクリップ取付用の補助工具を示す全体図である。本補助工具は、Ｕ字状のシンブルに沿って湾曲されたワイヤロープを、シンブルの近傍でロープクリップによって固定する際に使用されるものである。本補助工具は、例えば、押付部１及び２、操作部３及び４、ロック機構部５、ロック解除部６、調節部７により、その要部が構成される。
【００１３】
図２は図１に示す補助工具の要部斜視図、図３は図１に示す補助工具の要部拡大図である。図２及び図３は、押付部１及び２の詳細を示している。
以下に、図２及び図３も参照し、本補助工具の構成について具体的に説明する。
【００１４】
押付部１及び２は、ロープクリップの取付時に、シンブルの外側に配置されたワイヤロープに両側から接触し、ワイヤロープをシンブルに押し付けるためのものである。具体的に、押付部１及び２の上記機能は、押付部１及び２に形成された凹状を呈する一対の溝部によって実現される。
【００１５】
一方の押付部１に設けられた上記溝部は、ロープクリップの取付時に、シンブルの一側に配置されたワイヤロープを、所定の長さに渡ってシンブルに押し付けるためのものである。例えば、押付部１の溝部は、溝部の底面を形成する接触部１ａと、溝部の側面を形成するストッパー部１ｂとにより構成される。
【００１６】
接触部１ａは、ロープクリップの取付時に、シンブルの一側に配置されたワイヤロープに対し、所定の長さに渡って一側から接触する。接触部１ａは、シンブルの一側の広い範囲にワイヤロープを押し付けることができるように、ワイヤロープに接触する接触面（上記溝部の底面に相当）が、シンブルの外側面と同じように湾曲している。即ち、接触部１ａの上記接触面は、シンブルの外側面に合わせて、長手中央部がへこんだ凹状を呈している。
【００１７】
ストッパー部１ｂは、接触部１ａによってワイヤロープを押さえた際に、ワイヤロープが接触部１ａから外れてしまうことを防止するためのものである。ストッパー部１ｂは、例えば、接触部１ａの両側に設けられており、シンブルの一側に配置されたワイヤロープに接触部１ａが一側から接触した際に、ワイヤロープに沿ってその両側に配置される。
【００１８】
押付部２に設けられた上記溝部は、ロープクリップの取付時に、シンブルの他側に配置されたワイヤロープを、所定の長さに渡ってシンブルに押し付けるためのものである。押付部２の溝部は、押付部１の溝部と同様の構成を有しており、例えば、溝部の底面を形成する接触部２ａと、溝部の側面を形成するストッパー部２ｂとにより構成される。
【００１９】
接触部２ａは、ロープクリップの取付時に、シンブルの他側に配置されたワイヤロープに対し、所定の長さに渡って他側から接触する。接触部２ａは、シンブルの他側の広い範囲にワイヤロープを押し付けることができるように、ワイヤロープに接触する接触面（上記溝部の底面に相当）が、シンブルの外側面と同じように湾曲している、即ち、接触部２ａの上記接触面は、シンブルの外側面に合わせて、長手中央部がへこんだ凹状を呈している。
【００２０】
ストッパー部２ｂは、接触部２ａによってワイヤロープを押さえた際に、ワイヤロープが接触部２ａから外れてしまうことを防止するためのものである。ストッパー部２ｂは、例えば、接触部２ａの両側に設けられており、シンブルの他側に配置されたワイヤロープに接触部２ａが他側から接触した際に、ワイヤロープに沿ってその両側に配置される。
【００２１】
即ち、押付部１（の溝部）と押付部２（の溝部）とは、シンブルに巻き掛けられたワイヤロープを両側から挟み込み、ワイヤロープをシンブルの外側面に密着させるためのものである。このため、押付部１の溝部と押付部２の溝部とは対称に配置され、凹状部分の開口が互いに対向するように配置される。このため、ワイヤロープを押し付けるための接触部１ａ及び２ａの各接触面も、その長手に渡って対向する。
【００２２】
操作部３及び４は、ロープクリップの取付作業を行う作業者が把持して押付部１及び２を操作する部分を構成する。
例えば、一方の操作部３は、その一端部に、押付部１が設けられている。また、押付部２には、所定の支持部２ｃが上記溝部と一体的に備えられており、支持部２ｃの中間部が、操作部３の中間部に軸８を介して回転自在に固定されている。他方の操作部４は、その一端部が、支持部２ｃの先端部に軸９を介して回転自在に固定されている。
【００２３】
即ち、作業者が操作部３及び４を握り締めると、操作部４の他端部側が操作部３の他端部側に接近して、押付部２が押付部１に接近するように移動する。これにより、接触部１ａ及び２ａの各接触面の間隔を狭めることができる。一方、操作部４の他端部側を操作部３の他端部側から離隔させると、押付部２が押付部１から離隔するように移動する。これにより、接触部１ａ及び２ａの各接触面の間隔を広げることができる。
【００２４】
ロック機構部５は、作業者が操作部３及び４を握って一定以上締めた際に、その状態をロックするためのものである。即ち、ロック機構部５は、操作部４の他端部側が操作部３の他端部側に所定距離まで接近すると、その接近状態を固定し、操作部４が操作部３から離れる（即ち、接触部１ａ及び２ａの各接触面の間隔が広がる）ことを阻止する。
【００２５】
ロック解除部６は、ロック機構部５によるロック機能を解除するためのものである。ロック解除部６は、例えば、操作部４に設けられた解除レバーからなる。ロック解除部６は、例えば、図１のＡ方向に操作されることにより、ロック機構部５に係合して、ロック機構部５によって固定された状態を解除する。これにより、本補助工具を元の状態、即ち、操作部４の他端部側が操作部３の他端部側から離隔可能な状態に戻すことができる。
【００２６】
調節部７は、押付部１及び２の可動範囲を調節するためのものである。調節部７は、例えば、操作部３に設けられた調節ネジからなる。調節部７を操作することにより、押付部１及び２の締め込み量（図３に示すα）を所定の範囲内で調節することができる。
【００２７】
図１に示す１０は、上記支持部２ｃと操作部３との間に設けられたスプリングである。スプリング１０は、押付部１及び２の間隔が広がる方向に、常時一定の力を作用させている。
【００２８】
次に、図４乃至図６も参照し、上記構成を有する補助工具を使用してワイヤロープにロープクリップを取り付ける時の動作について具体的に説明する。図４乃至図６は図１に示す補助工具の使用方法を説明するための図である。図４乃至図６において、１１はワイヤロープ、１２はＵ字状のシンブル、１３はロープクリップ、１４はナットを示している。
【００２９】
図４はワイヤロープ１１をシンブル１２に巻き付け、ワイヤロープ１１をシンブル１２の外側面に沿って湾曲させた状態を示している。作業者は、このように配置されたワイヤロープ１１に対し、その両側からワイヤロープ１１の湾曲部分を挟み込むように押付部１及び２を当て、押付部１及び２の各溝部内にワイヤロープ１１を配置する。この時、各溝部の一端部が、シンブル１２の端部付近に配置されるようにする。そして、作業者はこの状態で操作部３及び４を強く握り締め、ワイヤロープ１１をシンブル１２の外側面に密着させる（図５参照）。
【００３０】
操作部３及び４を強く握りしめることにより、ロック機構部５によるロック機能が作用して、ワイヤロープ１１を強く締めこんだ状態で固定することができる。ロック機能が作用すれば手を放しても本補助工具がワイヤロープ１１から外れる（本補助工具が落下する）ことはないため、作業者は、かかる状態で両手を使用してロープクリップ１３をワイヤロープ１１に固定する。また、ロープクリップ１３の取り付けが完了すると、作業者は、ロック解除部６を操作してロック状態を解除し、本補助工具をワイヤロープ１１から取り外す。
【００３１】
本構成の補助工具であれば、ロープクリップ１３を、ワイヤロープ１１に対して簡単に取り付けることができる。また、作業性が大幅に向上するため、その作業時間も短縮させることができる。
本補助工具であれば、押付部１及び２によってシンブル１２の端部近傍までワイヤロープ１１を絞り込むことができるため、ロープクリップ１３をシンブル１２側の適切な位置に配置することができるようになる。
【符号の説明】
【００３２】
１、２  押付部
１ａ、２ａ  接触部
１ｂ、２ｂ  ストッパー部
２ｃ  支持部
３、４  操作部
５  ロック機構部
６  ロック解除部
７  調節部
８、９  軸
１０  スプリング
１１  ワイヤロープ
１２  シンブル
１３  ロープクリップ
１４  ナット
１５  吊りボルト
１６  主ロープ
【図１】
2012187662.tif 000003
【図２】
2012187662.tif 000004
【図３】
2012187662.tif 000005
【図４】
2012187662.tif 000006
【図５】
2012187662.tif 000007
【図６】
2012187662.tif 000008
【図７】
2012187662.tif 000009